(57)【特許請求の範囲】
【請求項１】
気流が通るダクトの吸込口に、塵埃を捕集する円筒に形成されたフィルターと、前記フィルターを回転させる回転手段と、前記回転手段をダクトの吸込口に固定する固定手段で構成され、前記フィルターは吸込口から外部に配置されており、前記フィルターの円筒内には複数枚の遠心送風用羽根が均等に配置され、前記フィルターの上流側軸方向端面は閉口し、下流側軸方向端面は開口し、前記下流側軸方向端面の外径は前記上流側軸方向端面の外径と同等以上かつダクト内径よりも小さくなっており、気流がダクト内を通ると前記フィルターの外側から内側に向けて気流が貫流され、浮遊する塵埃を捕集し、フィルターの目詰まりを除去するときは、前記フィルターと前記遠心送風用羽根を回転して遠心力と同時に内側から外側に気流を発生させ、
前記フィルターの周りを覆い垂直下方に開口部を有するフードを、前記ダクトの吸込口に設け、
前記フード内に前記フィルターを囲むように遠心送風機の舌部を有する渦巻きケーシングを形成し、
前記フード内の前記フィルターと相対する位置に前記フィルターに振動を与える加振手段を設け、
前記渦巻きケーシングの舌部から前記フィルターの逆回転方向の前記開口部側に加振手段を配置したことを特徴とする除塵装置。
【請求項２】
加振手段が弾性復元力のあるバネ材とフィルター外周面に複数個設けられた突起部で構成され、前記フィルターが回転すると突起部とバネ材が衝突を繰り返すことで振動が発生するようにしたことを特徴とする請求項１記載の除塵装置。
【請求項３】
気流が通るダクトの吸込口に、塵埃を捕集する円筒に形成されたフィルターと、前記フィルターを回転させる回転手段と、前記回転手段をダクトの吸込口に固定する固定手段で構成され、前記フィルターは吸込口から外部に配置されており、前記フィルターの円筒内には複数枚の遠心送風用羽根が均等に配置され、前記フィルターの上流側軸方向端面は閉口し、下流側軸方向端面は開口し、前記下流側軸方向端面の外径は前記上流側軸方向端面の外径と同等以上かつダクト内径よりも小さくなっており、気流がダクト内を通ると前記フィルターの外側から内側に向けて気流が貫流され、浮遊する塵埃を捕集し、フィルターの目詰まりを除去するときは、前記フィルターと前記遠心送風用羽根を回転して遠心力と同時に内側から外側に気流を発生させ、
前記フィルターの周りを覆い垂直下方に開口部を有するフードを、前記ダクトの吸込口に設け、
前記フード内に前記フィルターを囲むように遠心送風機の舌部を有する渦巻きケーシングを形成し、
前記フード内の前記フィルターと相対する位置に前記フィルターに摺接する掃出手段を設け、
前記渦巻きケーシングの舌部から前記フィルターの逆回転方向の前記開口部側に掃出手段を配置したことを特徴とする除塵装置。
【請求項４】
掃出手段を直線ブラシとし、前記直線ブラシをダクト軸方向に配置し、前記ブラシの毛先がフィルターに均等に摺接するようにしたことを特徴とする請求項３記載の除塵装置。
【請求項５】
フィルターが円錐面を形成しており、円錐の頂点側が上流側となることを特徴とする請求項１から４のいずれかに記載の除塵装置。
【請求項６】
固定手段の軸方向端面がフードと滑らかにつながる形状を有していることを特徴とする請求項１から５のいずれかに記載の除塵装置。
【発明の詳細な説明】
【技術分野】
【０００１】
本発明は、主としてフィルターを用いた除塵装置に関するものである。
【背景技術】
【０００２】
住宅、事務所や工場などで外気を吸引して屋内に導入する換気ユニットにおいては、外気に浮遊している砂塵や粉塵などの塵埃を捕集し除去するためにフィルターを用いた除塵装置を設けられているものがある。
【０００３】
従来、この種の換気ユニットに用いられる除塵装置は、砂塵や粉塵などの塵埃がフィルターに付着して堆積すると目詰まりを発生して換気風量低下の原因となるため、フィルターの掃除や新品への交換などのメンテナンス作業が頻繁に必要である。このメンテナンス作業を簡便にしてフィルターの交換サイクルを長くするためにフィルターの目詰まりを除去する手段に遠心力を用いた方法が知られている（例えば、特許文献１参照）。
【０００４】
以下、その除去方法について図８の除塵装置を参照しながら説明する。図８の除塵装置１０１は略円筒形の外周面にフィルターを設けたフィルターユニット１０２とモータ１０３がカップリング１０４で軸同士が接続し、吸込口１０５と吐出口１０６を備えたケーシング１０７に内装されており、吐出口１０６はフィルターユニット１０２内部に繋がり、ケーシング１０７とは軸受１０８によって接続される構成のためフィルターユニット１０２は回転自在である。気流中の塵埃を捕集する際は、吸込口１０５から流入した塵埃を含んだ気流をフィルターユニット１０２の外側から内側に貫流させることで、フィルターユニット１０２の外周面で塵埃が捕集され、浄化された気体は吐出口１０６から流出される。そして、フィルターの目詰まりを除去する際は、フィルターユニット１０２を回転させて遠心力を利用することで外周面に付着した塵埃を払い落とすものである。
【特許文献１】特開平１１−０５７３６５号公報
【発明の開示】
【発明が解決しようとする課題】
【０００５】
このような従来の遠心力によるフィルター目詰まり除去手段を用いた除塵装置では、遠心力だけではフィルターの塵埃を払い落とす力が弱く、除去しきれずに塵埃がフィルターに残留する。さらにフィルターに積層材を使用している場合はいったん除去された塵埃がフィルターに再付着して残留量が多くなり、フィルターの目詰まり発生頻度が増加する。また、気流が通る風路が複雑であり除塵装置としての圧力損失が高く、メンテナンス作業も困難であるという課題がある。
【０００６】
本発明はこのような従来の課題を解決するものであり、フィルターへの塵埃の残留を低減してフィルターの目詰まり発生頻度を低減でき、また、気流が通る風路の圧力損失を低減でき、室内からのメンテナンス作業が簡便となる除塵装置を提供することを目的としている。
【課題を解決するための手段】
【０００７】
本発明の除塵装置は気流が通るダクトの吸込口に、塵埃を捕集する円筒に形成されたフィルターと、前記フィルターを回転させる回転手段と、前記回転手段をダクトの吸込口に固定する固定手段で構成され、前記フィルターは吸込口から外部に配置されており、前記フィルターの円筒内には複数枚の遠心送風用羽根が均等に配置され、前記フィルターの上流側軸方向端面は閉口し、下流側軸方向端面は開口し、前記下流側軸方向端面の外径は前記上流側軸方向端面の外径と同等以上かつダクト内径よりも小さくなっており、気流がダクト内を通ると前記フィルターの外側から内側に向けて気流が貫流され、浮遊する塵埃を捕集し、フィルターの目詰まりを除去するときは、前記フィルターと前記遠心送風用羽根を回転して遠心力と同時に内側から外側に気流を発生させることを特徴としたものである。この手段により、遠心力に加えて遠心送風用羽根によりフィルターの内側から外側に気流が発生し塵埃に抗力が作用することで塵埃を払い落とす力が強くなると同時にフィルターの空隙に気流が通ることで塵埃が再付着しにくくなるため、フィルターへの塵埃の残留を低減してフィルターの目詰まり発生頻度を低減できる。
【０００８】
また、上流側軸方向端面の外径より下流側軸方向端面が大きいことから吸込口からダクト内に流入する気流がスムーズになり圧力損失を低減できる。また、ダクト径よりもフィルター外径が小さいため、ダクト下流側にフィルターを引き出すことが可能となり、室内からのメンテナンス作業が簡単となる。また、フィルターの周りを覆い垂直下方に開口部を有するフードを、ダクトの吸込口に設けたことにより、気流を下方から吸込むことにより、浮遊している塵埃のうち比較的質量の大きなものは重力で落下して除去できる。また、フィルターを雨や外風から守ることができる。また、フード内にフィルター円筒を囲むように遠心送風機の舌部を有する渦巻きケーシングを形成したことにより、遠心送風用羽根が回転して発生する気流が増加するため、塵埃を払い落とす力が強くなる。また、フード内のフィルター円筒と相対する位置に前記フィルターに振動を与える加振手段を設けたことにより、フィルターに振動が加わり遠心力と抗力と合わせて塵埃を払い落とす力が強くなる。また、渦巻きケーシングの舌部からフィルターの逆回転方向の開口部側に加振手段を配置したことにより、遠心羽根が発生する気流が大きいときにフィルターに振動が加わり塵埃が払い落とされる量が増加する。さらに舌部が遠心送風機としての風路をさえぎるため、払い落とされた塵埃が舌部に衝突し下方に落下するため、フィルターへの再付着が防止できる。
【０００９】
また、加振手段が弾性復元力のあるバネ材とフィルター外周面に複数個設けられた突起部で構成され、前記フィルターが回転すると突起部とバネ材が衝突を繰り返すことで振動が発生するようにしたことにより、フィルターの回転を加振源として利用することができるため、フィルターを加振するために別の加振動力を備える必要がない。
【００１０】
また、気流が通るダクトの吸込口に、塵埃を捕集する円筒に形成されたフィルターと、前記フィルターを回転させる回転手段と、前記回転手段をダクトの吸込口に固定する固定手段で構成され、前記フィルターは吸込口から外部に配置されており、前記フィルターの円筒内には複数枚の遠心送風用羽根が均等に配置され、前記フィルターの上流側軸方向端面は閉口し、下流側軸方向端面は開口し、前記下流側軸方向端面の外径は前記上流側軸方向端面の外径と同等以上かつダクト内径よりも小さくなっており、気流がダクト内を通ると前記フィルターの外側から内側に向けて気流が貫流され、浮遊する塵埃を捕集し、フィルターの目詰まりを除去するときは、前記フィルターと前記遠心送風用羽根を回転して遠心力と同時に内側から外側に気流を発生させ、前記フィルターの周りを覆い垂直下方に開口部を有するフードを、前記ダクトの吸込口に設けたことにより、遠心力に加えて遠心送風用羽根によりフィルターの内側から外側に気流が発生し塵埃に抗力が作用することで塵埃を払い落とす力が強くなると同時にフィルターの空隙に気流が通ることで塵埃が再付着しにくくなるため、フィルターへの塵埃の残留を低減してフィルターの目詰まり発生頻度を低減できる。また、上流側軸方向端面の外径より下流側軸方向端面が大きいことから吸込口からダクト内に流入する気流がスムーズになり圧力損失を低減できる。また、ダクト径よりもフィルター外径が小さいため、ダクト下流側にフィルターを引き出すことが可能となり、室内からのメンテナンス作業が簡単となる。フィルター面の塵埃を直接拭い去る作用が加わり遠心力と抗力と合わせて塵埃を払い落とす力が強くなる。また、気流を下方から吸込むことにより、浮遊している塵埃のうち比較的質量の大きなものは重力で落下して除去できる。また、フィルターを雨や外風から守ることができる。また、フード内にフィルター円筒を囲むように遠心送風機の舌部を有する渦巻きケーシングを形成したことにより、遠心送風用羽根が回転して発生する気流が増加するため、塵埃を払い落とす力が強くなる。また、フード内のフィルター円筒と相対する位置に前記フィルターに摺接する掃出手段を設けたことにより、フィルター面の塵埃を直接拭い去る作用が加わり遠心力と抗力と合わせて塵埃を払い落とす力が強くなる。また、渦巻きケーシングの舌部からフィルターの逆回転方向の前記開口部側に掃出手段を配置したことにより、遠心羽根が発生する気流が大きいときにフィルターに振動が加わり塵埃が払い落とされる量が増加する。さらに舌部が遠心送風機としての風路をさえぎるため、払い落とされた塵埃が舌部に衝突し下方に落下するため、フィルターへの再付着が防止できる。
【００１１】
また、掃出手段を直線ブラシとし、前記直線ブラシをダクト軸方向に配置し、前記ブラシの毛先がフィルターに均等に摺接するようにしたことにより、フィルターを回転するときの摺接による負荷を小さくすることができるため、目詰まり除去運転の消費電力を低減できる。
【００１２】
また、フィルターが円錐面を形成しており、円錐の頂点側が上流側となることにより、フィルターの面積を増加させながらダクト内に流入する気流をスムーズにできるため圧力損失を低減できる。
【００１３】
また、固定手段の軸方向端面がフードと滑らかにつながる形状を有していることにより、風路内での気流をスムーズにできるため圧力損失を低減できる。
【発明の効果】
【００３１】
本発明によれば、円筒や円錐形のフィルターに遠心送風用羽根を具備して回転させる構成により、遠心力に加えてフィルターの内側から外側に気流が発生し塵埃に抗力が作用することで塵埃を払い落とす力が強くなると同時にフィルターの空隙に気流が通ることで塵埃が再付着しにくくなるため、フィルターへの塵埃の残留を低減してフィルターの目詰まり発生頻度を低減できる。また、フィルターを円錐に形成しフード吸込口からダクト下流側に引き出せる形態にしたことにより、気流が通る風路の圧力損失を低減でき、室内からのメンテナンス作業が簡便となる除塵装置を提供することができる。
【発明を実施するための最良の形態】
【００３２】
本発明の請求項１記載の除塵装置は、気流が通るダクトの吸込口に、塵埃を捕集する円筒に形成されたフィルターと、前記フィルターを回転させる回転手段と、前記回転手段をダクトの吸込口に固定する固定手段で構成され、前記フィルターは吸込口から外部に配置されており、前記フィルターの円筒内には複数枚の遠心送風用羽根が均等に配置され、前記フィルターの上流側軸方向端面は閉口し、下流側軸方向端面は開口し、前記下流側軸方向端面の外径は前記上流側軸方向端面の外径と同等以上かつダクト内径よりも小さくなっており、気流がダクト内を通ると前記フィルターの外側から内側に向けて気流が貫流され、浮遊する塵埃を捕集し、フィルターの目詰まりを除去するときは、前記フィルターと前記遠心送風用羽根を回転して遠心力と同時に内側から外側に気流を発生させることを特徴としたものであり、遠心力に加えて遠心送風用羽根によりフィルターの内側から外側に気流が発生し塵埃に抗力が作用することで塵埃を払い落とす力が強くなると同時にフィルターの空隙に気流が通ることで塵埃が再付着しにくくなるため、フィルターへの塵埃の残留を低減してフィルターの目詰まり発生頻度を低減できる。また、上流側軸方向端面の外径より下流側軸方向端面が大きいことから吸込口からダクト内に流入する気流がスムーズになり圧力損失を低減できる。また、ダクト径よりもフィルター外径が小さいため、ダクト下流側にフィルターを引き出すことが可能となり、室内からのメンテナンス作業が簡単となるという作用を有する。また、フィルターの周りを覆い垂直下方に開口部を有するフードを、ダクトの吸込口に設けたことにより、気流を下方から吸込むことにより、浮遊している塵埃のうち比較的質量の大きなものは重力で落下して除去できる。また、フィルターを雨や外風から守ることができるという作用を有する。また、フード内にフィルター円筒を囲むように遠心送風機の舌部を有する渦巻きケーシングを形成したことにより、遠心送風用羽根が回転して発生する気流が増加するため、塵埃を払い落とす力が強くなるという作用を有する。また、フード内のフィルター円筒と相対する位置に前記フィルターに振動を与える加振手段を設けたことにより、フィルターに振動が加わり遠心力と抗力と合わせて塵埃を払い落とす力が強くなるという作用を有する。また、渦巻きケーシングの舌部からフィルターの逆回転方向の開口部側に加振手段を配置したことにより、遠心羽根が発生する気流が大きいときにフィルターに振動が加わり塵埃が払い落とされる量が増加する。さらに舌部が遠心送風機としての風路をさえぎるため、払い落とされた塵埃が舌部に衝突し下方に落下するため、フィルターへの再付着が防止できるという作用を有する。
【００３３】
本発明の請求項２記載の除塵装置は、請求項１記載の除塵装置において、加振手段が弾性復元力のあるバネ材とフィルター外周面に複数個設けられた突起部で構成され、前記フィルターが回転すると突起部とバネ材が衝突を繰り返すことで振動が発生するようにしたことにより、フィルターの回転を加振源として利用することができるため、フィルターを加振するために別の加振動力を備える必要がないという作用を有する。
【００３４】
本発明の請求項３記載の除塵装置は、気流が通るダクトの吸込口に、塵埃を捕集する円筒に形成されたフィルターと、前記フィルターを回転させる回転手段と、前記回転手段をダクトの吸込口に固定する固定手段で構成され、前記フィルターは吸込口から外部に配置されており、前記フィルターの円筒内には複数枚の遠心送風用羽根が均等に配置され、前記フィルターの上流側軸方向端面は閉口し、下流側軸方向端面は開口し、前記下流側軸方向端面の外径は前記上流側軸方向端面の外径と同等以上かつダクト内径よりも小さくなっており、気流がダクト内を通ると前記フィルターの外側から内側に向けて気流が貫流され、浮遊する塵埃を捕集し、フィルターの目詰まりを除去するときは、前記フィルターと前記遠心送風用羽根を回転して遠心力と同時に内側から外側に気流を発生させることを特徴としたものであり、遠心力に加えて遠心送風用羽根によりフィルターの内側から外側に気流が発生し塵埃に抗力が作用することで塵埃を払い落とす力が強くなると同時にフィルターの空隙に気流が通ることで塵埃が再付着しにくくなるため、フィルターへの塵埃の残留を低減してフィルターの目詰まり発生頻度を低減できる。また、上流側軸方向端面の外径より下流側軸方向端面が大きいことから吸込口からダクト内に流入する気流がスムーズになり圧力損失を低減できる。また、ダクト径よりもフィルター外径が小さいため、ダクト下流側にフィルターを引き出すことが可能となり、室内からのメンテナンス作業が簡単となるという作用を有する。また、フィルターの周りを覆い垂直下方に開口部を有するフードを、ダクトの吸込口に設けたことにより、気流を下方から吸込むことにより、浮遊している塵埃のうち比較的質量の大きなものは重力で落下して除去できる。また、フィルターを雨や外風から守ることができるという作用を有する。また、フード内にフィルター円筒を囲むように遠心送風機の舌部を有する渦巻きケーシングを形成したことにより、遠心送風用羽根が回転して発生する気流が増加するため、塵埃を払い落とす力が強くなるという作用を有する。また、フード内のフィルター円筒と相対する位置に前記フィルターに摺接する掃出手段を設けたことにより、フィルター面の塵埃を直接拭い去る作用が加わり遠心力と抗力と合わせて塵埃を払い落とす力が強くなるという作用を有する。また、渦巻きケーシングの舌部からフィルターの逆回転方向の開口部側に掃出手段を配置したことにより、遠心羽根が発生する気流が大きいときにフィルターに振動が加わり塵埃が払い落とされる量が増加する。さらに舌部が遠心送風機としての風路をさえぎるため、払い落とされた塵埃が舌部に衝突し下方に落下するため、フィルターへの再付着が防止できるという作用を有する。
【００３５】
本発明の請求項４記載の除塵装置は、請求項３記載の除塵装置において、掃出手段を直線ブラシとし、前記直線ブラシをダクト軸方向に配置し、前記ブラシの毛先がフィルターに均等に摺接するようにしたことにより、フィルターを回転するときの摺接による負荷を小さくすることができるため、目詰まり除去運転の消費電力を低減できるという作用を有する。
【００３６】
本発明の請求項５記載の除塵装置は、請求項１から４いずれか記載の除塵装置において、フィルターが円錐面を形成しており、円錐の頂点側が上流側となることにより、フィルターの面積を増加させながらダクト内に流入する気流をスムーズにできるため圧力損失を低減できるという作用を有する。
【００３７】
本発明の請求項６記載の除塵装置は、請求項１から５いずれか記載の除塵装置において、固定手段の軸方向端面がフードと滑らかにつながる形状を有していることにより、風路内での気流をスムーズにできるため圧力損失を低減できるという作用を有する。
【００５４】
以下、本発明の実施の形態について図面を参照しながら説明する。
【００５５】
（参考の形態１）
図１は参考の形態１の側面断面図、図２は本発明の参考の形態１の除塵装置の正面断面図、図３（ａ）は本発明の参考の形態１の除塵装置の気流の塵埃捕集時を示す側面断面図、図３（ｂ）は本発明の参考の形態例１のフィルター目詰まり除去運転時を示す側面断面図である。図１ならびに図２に示すように、除塵装置１は建物の外壁などに配設されている換気用の気流が流れるダクト２の吸込口３に設置されている。フィルター４は円筒に形成され円筒内には複数枚の遠心送風用羽根５が均等に配置されている。遠心送風用羽根５はシロッコファンの羽根形状を有しておりフィルター４の目詰まり除去のために回転するときに円筒の内側から外側に風が流れるような向きに配置されている。遠心送風用羽根５はターボファンの羽根形状でもかまわない。フィルター４の上流側軸方向端面６は閉口しその直径をＤ１、下流側軸方向端面７は開口しその直径をＤ２、ダクト２の内径をＤｄとすると寸法は例えばＤ１＝５０ｍｍ、Ｄ２＝１４０ｍｍ、Ｄｄ＝１５０ｍｍとしており、その関係はＤｄ＞Ｄ２＞Ｄ１となっている。
【００５６】
フィルター４は回転中心を回転手段である電動機８に接続されており、電動機８はダクト２の内部、フィルター４は吸込口３から出た位置となるように固定手段である円筒フレーム９によってダクト２内面に固定されている。フィルター４の下流側軸方向端面７には、円筒フレーム９の内面との隙間を遮蔽する遮蔽手段として円筒に形成されたブラシ１０が取り付けられている。ブラシ１０はその外径が円筒フレーム９の内径と同等であり、毛材はナイロンで直径０．３ｍｍを使用している。毛材は細くて腰が弱いものを、密度を高く植えたものが隙間を遮蔽する効果にすぐれており、フィルター４が回転するときの抵抗負荷も少なくなる。吸込口３の外側にはフィルター４を覆い、垂直下方に開口部１１を有するフード１２が設けられており、フード１２の内部には、フィルター４円筒面を囲むように遠心送風機の舌部１３を有する渦巻きケーシング１４が形成されている。
【００５７】
フード１２の材質は長期間風雨に耐えられるものであることが望ましく、例えば鋼板製の溶接構造で製作されており木ねじによって吸込口３周囲の建物外壁に固定されている。
【００５８】
上記構成において、塵埃を含んだ気流が開口部１１から吸込口３を経てダクト２内を通るとき、図３（ａ）に示すようにフィルター４の外側から内側に向けて気流が貫流され、浮遊する塵埃がフィルター４に付着して捕集され、浄化された気流が下流側に流れる。このとき、フィルター４の上流側軸方向端面６の外径Ｄ１より下流側軸方向端面７の外径Ｄ２が大きいため、フィルター４を貫流した気流がダクト２に流入する際に渦の発生が抑えられ気流がスムーズになることから圧力損失を低減できる。次にフィルター４に付着した塵埃を払い落とし目詰まりを除去する際には図３（ｂ）に示すように、気流がダクト２内を通っていないときに電動機８を駆動してフィルター４を回転させると、遠心力が発生して塵埃が外周側に飛散する。遠心力に加えて遠心送風用羽根５によりフィルター４の内側から外側に気流が発生し塵埃に抗力が作用することで塵埃を払い落とす力が強くなると同時にフィルター４の空隙に気流が通ることで塵埃が再付着しにくくなる。
【００５９】
その結果、塵埃の残留が低減してフィルター４の目詰まり発生を抑制できるため、目詰まりの発生頻度を低減することができる。フィルター４を回転する時間は例えば３０秒から３分以内であり、フィルター４に付着している塵埃はこの時間内で払い落とすことができる。
【００６０】
なお、フィルター目詰まり除去運転を行う制御手段として、ダクト２に気流が通っていないことをセンサーで検知し、電動機８を駆動することでフィルター４を回転させるものである。センサーには例えばダクト２内の風量を検知する熱線式などの風速センサーを用いるが、圧力差を検知する静電容量式などの圧力センサーでもかまわない。この制御手段によって使用者はメンテナンスを意識しなくても日常の運転動作の中でフィルター４の目詰まりを除去することが可能であることと、都度、除去運転を行うためフィルター４への塵埃付着を最小限に抑えることができる。
【００６１】
また、他のフィルター目詰まり除去運転を行う制御手段として、前回のフィルター目詰まり除去運転より一定時間が経過すると、電動機８を駆動することでフィルター４を回転させるものである。一定時間を検知するためには例えばタイマーカウンターを用いている。るこの制御手段によって使用者はメンテナンスを意識しなくても定期的にフィルター４の目詰まりを除去することができる。
【００６２】
また、他のフィルター目詰まり除去運転を行う制御手段として、ダクト２内を気流が通っている時間を積算して一定時間が経過すると、電動機８を駆動することでフィルター４を回転させるものである。一定時間を検知するためには例えばタイマーカウンターと風速センサーを組み合わせて用いている。この制御手段によって使用者はメンテナンスを意識しなくても効率的にフィルター４の目詰まりを除去することができる。
【００６３】
なお、一定時間とは設置する地域の大気汚染度によっても異なるが、例えば従来の除塵装置に設けられたフィルター４の掃除期間である２カ月間に相当する時間が挙げられる。
【００６４】
また、他のフィルター目詰まり除去運転を行う制御手段として、フィルター４の目詰まり状態を検知して一定以上の目詰まり状態となったとき、電動機８を駆動することでフィルター４を回転させるものである。目詰まり状態を検知するためには例えばＬＥＤとフォトカプラを組み合わせてフィルターの光透過度を計測する方式を用いているが、フィルター４前後の差圧を検知する方式でもかまわない。この制御手段によって使用者はメンテナンスを意識しなくても効率的にフィルター４の目詰まりを除去することができる。目詰まり状態を検知しているので、不必要に除去運転が行われないため、除去に必要な消費電力を最低限に抑えることができる。目詰まり状態の設定は接続されている送風手段や必要な風量によっても異なるが、例えば初期の風量に対し８０％まで風量が低下した状態が挙げられる。
【００６５】
（実施の形態１）
前記参考の形態１と同一部分は同一番号を付し、詳細な説明を省略する。図４は実施の形態１の側面断面図、図５（ａ）は実施の形態１の正面図、図５（ｂ）は実施の形態１の後面図である。図４、図５（ａ）ならびに図５（ｂ）に示すように、フィルター４は円錐状に形成され円錐内には複数枚の遠心送風用羽根５が複数枚均等に配置されている。固定手段は樹脂で成型された円筒フレーム９であり、吸込口３に取り付けられたフード１２に下流側からはめ込んで固定されており、フード１２との接続部分は渦などを発生しないように段差のないように形成されている。フィルター４の下流側軸方向端面７の外周と円筒フレーム９との間は遮蔽手段としてのラビリンス構造１５が設けられている。ラビリンス構造１５はフィルター４の下流側軸方向端面７と円筒フレーム９に加工を施すことで簡単に遮蔽手段を実現できるため、軸受等の高価な部品を追加しなくともよくコスト低減が可能となる。
【００６６】
また、電動機８の下流側には高性能フィルター１６が配置されている。フィルター４は例えばポリプロピレンや金属の網であり、除塵効率３０％以上を有するものである。高性能フィルター１６は例えば不織布をプリーツ加工したものであり、除塵効率６０％以上を有するものである。なお、フィルター４は積層することで除塵効率を向上させ、例えば除塵効率を５０％以上とする場合がある。フード１２の内部にはフィルター４に摺接する掃出手段としての直線ブラシ１７が設けられており、舌部１３からフィルター４の逆回転転方向に配置されている。直線ブラシ１７はダクト２軸方向に配置され毛先はフィルター４に均等に摺接している。毛材はナイロンで直径０．３ｍｍを使用している。毛材は細くて毛足の長いものが塵埃を払い落とす効果にすぐれており、フィルター４が回転するときの抵抗負荷も少なくなる。円筒フレーム９にはハンドル１８が設けられており、、通常使用時には垂直下方に折りたたまれて円筒フレーム９の端面に固定されている。
【００６７】
上記構成において、塵埃を含んだ気流が開口部１１から吸込口３を経てダクト２内を通るとき、フィルター４が円錐であることからフィルター４の面積が増えるため、圧力損失を低減できるだけでなく、塵埃の保持量も増加するため目詰まりしにくい。フィルター４を貫流した気流は塵埃を捕集され下流側の高性能フィルター１６を貫流する。その結果、高性能フィルター１６にはフィルター４で捕集しきれなかった微細な塵埃だけが捕集されるため、除塵装置１としての集塵効率を高めながら目詰まりの発生頻度を減らすことができる。次にフィルター４に付着した塵埃を払い落とし目詰まりを除去する際には、気流がダクト２内を通っていないときに電動機８を駆動してフィルター４を回転させると、遠心力に加えて遠心送風用羽根５によりフィルター４の内側から外側に気流が発生するが、舌部１３を有する渦巻きケーシング１４の作用によって気流が増加する。
【００６８】
さらに直線ブラシ１７がフィルター４の表面に付着している塵埃を払い落とすため、塵埃を除去する力が強くなる。次に長期間の使用によってフィルター４や高性能フィルター１６の交換や電動機８などの点検を行う際には、折りたたまれたハンドル１８の固定を解除して上方にはねあげて引っ張れば、フード１２に固定された円筒フィルター９が抜けて電動機８、フィルター４が一体化された状態でダクト２の下流側に取り出すことができるため、交換や点検作業が楽に行える。特に高層住宅の屋外からの給気口などに設置された場合、室内から作業ができることは安全面においても点検費用においても有益である。
【００６９】
（実施の形態２）
前記実施の形態１または参考の形態１と同一部分は同一番号を付し、詳細な説明を省略する。図６は実施の形態２の側面断面図、図７は実施の形態２の正面断面図である。図６ならびに図７に示すように、フード１２の内部にはフィルター４に振動を与える加振手段として弾性復元力のあるバネ材１９とフィルター４外周面に複数個設けられた突起部２０で構成され、フィルター４が回転するとバネ材１９と突起部２０とが衝突を繰り返すことで振動が発生する。バネ材としては、弾性復元力があればよく、例えば、樹脂や金属の薄板平板で板厚は０．３ｍｍ〜０．５ｍｍ程度のものを使用すれば、弾性復元力があり、良い。フィルターの回転数は例えば１２００ｍｉｎ−１以上である。
【００７０】
上記構成において、フィルター４に付着した塵埃を払い落とし目詰まりを除去する際に、気流がダクト２内を通っていないときに電動機８を駆動してフィルター４を回転させると、遠心力に加えて遠心送風用羽根５によりフィルター４の内側から外側に気流が発生するが、舌部１３を有する渦巻きケーシング１４の作用によって気流が増加する。さらにフィルター４に振動が加わることで塵埃を払い落とす力が強くなる。フィルター４の回転を加振源として利用しているため、フィルター４を加振するために別の動力を備える必要がないという利点がある。
【産業上の利用可能性】
【００７１】
本発明の除塵装置は、建物の換気・空調用として屋外の空気を給気する際に浮遊している塵埃を捕集し、浄化する用途として有用である。また、室内の空気を循環させながら使用するエアコンや空気清浄機としての用途にも適用することができる。
【図面の簡単な説明】
【００７２】
【図１】本発明の参考の形態１の除塵装置の側面断面図
【図２】同正面断面図
【図３】同気流の塵埃捕集時を示す側面断面図とフィルター目詰まり除去運転時を示す側面断面図（（ａ）同気流の塵埃捕集時を示す側面断面図、（ｂ）同フィルター目詰まり除去運転時を示す側面断面図）
【図４】本発明の実施の形態１の除塵装置の側面断面図
【図５】同正面断面図と後面図（（ａ）同正面断面図、（ｂ）同後面図）
【図６】本発明の実施の形態２の除塵装置の側面断面図
【図７】同正面断面図
【図８】従来の発明のフィルターユニットを示す断面図
【符号の説明】
【００７３】
１    除塵装置
２    ダクト
３    吸込口
４    フィルター
５    遠心送風用羽根
６    上流側軸方向端面
７    下流側軸方向端面
８    電動機
９    円筒フレーム
１０  ブラシ
１１  開口部
１２  フード
１３  舌部
１４  渦巻きケーシング
１５  ラビリンス構造
１６  高性能フィルター
１７  直線ブラシ
１８  ハンドル
１９  バネ材
２０  突起部
【図１】
0005262003.tif 000002
【図２】
0005262003.tif 000003
【図３】
0005262003.tif 000004
【図４】
0005262003.tif 000005
【図５】
0005262003.tif 000006
【図６】
0005262003.tif 000007
【図７】
0005262003.tif 000008
【図８】
0005262003.tif 000009